(57)【要約】発明は、周囲環境の消臭及び／又は芳香付与の方法及び装置に関する。発明において、装置は容器（１）の外に香料を放出する香り付き粒子（２）を含む容器（１）であって、周囲環境中に載置される。
2004509668.tif 000002
【特許請求の範囲】
【請求項１】
浴室、シャワー室、自動洗濯機又は皿洗い機、ジャグジー又はホットタブのような、時には湿潤し、時には乾燥している周囲環境の消臭及び／又は芳香付与方法であって、ここで、消臭及び／又は芳香付与装置は前記周囲環境内に載置され、前記装置は前記周囲環境において容器の外に香料を放出する複数の香り付き粒子（２）を含む容器（１）である、方法。
【請求項２】
容器の外に香料を放出する複数の香り付き粒子（２）を含む容器（１）である消臭及び／又は芳香付与装置と、浴室、シャワー室、自動洗濯機又は皿洗い機、ジャグジー又はホットタブのような、時には湿潤し、時には乾燥している周囲環境内に前記装置を載置するための使用指針とを含む製品。
【請求項３】
香料を放出する香り付き粒子（２）と、前記粒子が前記容器の外に香料を放出できる容器（１）内に前記粒子を載置し、且つ、浴室、シャワー室、自動洗濯機又は皿洗い機、ジャグジー又はホットタブのような、時には湿潤し、時には乾燥している周囲環境内に前記容器を載置するための使用指針とを含む製品。
【請求項４】
前記香り付き粒子（２）がポリマー粒子である請求項１に記載の方法、又は請求項２若しくは３に記載の製品。
【請求項５】
前記粒子（２）が実質的に球形である請求項１〜４のいずれか一項に記載の方法又は製品。
【請求項６】
前記容器（１）が堅いものである請求項１〜５のいずれか一項に記載の方法又は製品。
【請求項７】
前記容器（１）が孔（３）を含み、該孔（３）は全て、容器に含有されたより小さい粒子（２）よりも小さい請求項１〜６のいずれか一項に記載の方法又は製品。
【請求項８】
前記容器が異なる寸法の孔（３）を有する請求項７に記載の方法又は製品。
【請求項９】
前記香り付き粒子（２）が全て実質的に同一の寸法である請求項１〜８のいずれか一項に記載の方法又は製品。
【請求項１０】
異なる香り付き粒子（２）が異なる香料を含む請求項１〜９のいずれか一項に記載の方法。
【請求項１１】
前記容器（１）が開放可能であり、再閉鎖可能である請求項１〜１０のいずれか一項に記載の方法又は製品。
【請求項１２】
前記容器（１）が前記容器の内容量の５％〜９５％を占める香り付き粒子（２）を含む請求項１〜１１のいずれか一項に記載の方法。
【請求項１３】
前記容器の外に香料を放出する香り付き粒子（２）を含む堅い容器（１）を含む装置。
【請求項１４】
前記粒子（２）が実質的に球形である請求項１３に記載の装置。
【請求項１５】
前記容器の外に香料を放出する香り付き粒子（２）を含む容器（１）を含み、前記容器が異なる寸法の孔（３）を含み、該孔は全て前記容器に含有されたより小さい粒子よりも小さい装置。
【請求項１６】
前記容器の外に香料を放出する香り付き粒子（２）を含む容器（１）を含み、前記粒子が全て実質的に同寸法である装置。
【請求項１７】
前記容器の外に香料を放出する香り付き粒子（２）を含む容器（１）を含み、異なる前記粒子が実質的に異なる香料を含む装置。
【請求項１８】
前記容器の外に香料を放出する香り付き粒子（２）を含む容器（１）を含み、前記粒子が前記容器の内容量の５％〜９５％を占める装置。
【発明の詳細な説明】
【０００１】
（技術分野）
本発明は、周囲環境の脱臭、リフレッシング及び／又は芳香付与に関する。
【０００２】
（発明の背景）
周囲環境の消臭及び／又は芳香付与は、当該分野において周知の問題である。問題を解決する為の種々の方法及び装置が開示及び／又は市販されている。一般的に、消臭及び／又は芳香付与装置は、消臭及び／又は芳香付与されるべき周囲環境中に載置される。しばらくの時間の後、周囲環境の消臭及び／又は芳香付与においてすでに活性でなくなると、装置は捨てられ、新たな装置に替えられる。しかしながら、現在知られているこれらの装置には満足なものはない。したがって、このような装置において次の領域の一部又は全部において改良を必要としている：
−装置は湿潤条件下に暴露された後にでも有効であるべきである。
−装置は広範囲の温度において有効であるべきである。
−装置は連続的且つ直線的に香料を放出を提供すべきである。
−装置は詰め替え可能であるべきである。
−装置は消費者が装置に放出することを望んでいる香料の性質と強度を柔軟に選択できるように提供すべきである。
【０００３】
（発明の概要）
１つの実施態様において、本発明は、浴室、シャワー室、自動洗濯機又は皿洗い機、ジャグジー又はホットタブのような、時には湿潤し、時には乾燥している周囲環境の消臭及び／又は芳香付与方法であって、ここで、消臭及び／又は芳香付与装置は前記周囲環境内に載置され、前記装置は前記周囲環境において容器の外に香料を放出する複数の香り付き粒子（２）を含む容器（１）である。
本発明はまた、このような特定の周囲環境において使用するための使用指針と共に提供されるかかる装置を包含する。本発明はまた、かかる周囲環境におけるかかる装置において使用するための使用指針と共に提供される香り付き粒子を包含する。
その他の実施態様において、本発明は、前記容器（１）が堅いものであるようなかかる装置を包含する。その他の実施態様において、容器（１）は異なる寸法の孔（３）を含み、これらの孔は全て前記容器（１）に含有される小さな粒子（２）より小さい。その他の実施態様において、容器（１）内の香り付き粒子（２）は全てが同一の寸法というわけではない。その他の実施態様において、容器（１）は異なる香料を含む異なる粒子（２）を含有する。さらなるその他の実施態様において、容器（１）は前記容器の内容量の５％〜９５％、好ましくは２０％〜８０％を占める香り付き粒子（２）を含む。
【０００４】
（詳細な説明）
本発明による装置は、消臭及び／又は芳香付加装置である。「消臭及び／又は芳香付加」は、周囲に芳香を付与するか、又は悪臭をマスキングすることで消臭する香料を放出することを意味する。装置は、容器の外に香料を放出する香り付き粒子を含有する容器を含む。
【０００５】
容器：
本発明による、及び本発明で使用される装置は容器を含む。容器は、可撓性のにおい袋であっていいが、好ましくは実質的には、ポリエチレン又はポリプロピレンのようなプラスチックから製造される堅い容器である。実際に、実質的に堅い容器を用いることによって、例えば洗濯機の振動、又は洗濯機中又はシャワーにおける水の流れによって、香り付き粒子は容器内を自由に移動でき、香料を放出できる粒子の表面積を最大限にし、それにより香料の放出の持続及び連続性を改良することが確実となる。また、従来の消臭装置は厚紙や紙を使用しているのに対し、プラスチックの使用は湿潤条件下において容器を使用可能であるのを確実とする。また、プラスチックの使用は容器が、洗濯機のように、装置が使用され得る際の多くの周囲環境において遭遇する広範囲の温度に暴露される際に劣化されないことを確実とする。紙又は厚紙を使用する装置は、暖かい温度への暴露等に耐えられない。
【０００６】
容器は、粒子によって放出される香料が、確実に外側に拡散することができるようにしなければいけない。したがって、容器は、例えばＬＤＰＥのような香料透過性の物質からなり得る。しかしながら、その実施態様において、物質を通じての香料の移動は遅く、制御がより難しいので、好ましい実施態様においては、容器はいずれかのプラスチックから成り、この容器は含有されるより小さな香料粒子よりも全て小さい孔を含む。１つの有利な実施態様において、容器の孔は全て同じ寸法ではない。実際に、異なる寸法の孔は異なる機能を有し：小さな孔は香料の放出において優勢な役割を有し、一方で大きな孔は湿潤した周囲環境において使用する際、湿潤後の装置を迅速に十分乾燥するのに必要とされる。装置の内部を早く乾燥させることは、香料の放出において装置の効率を維持するために望ましい。
容器は粒子が放出されないという点で閉鎖されているが、特に有利な実行においては、この容器は使用された粒子が捨てられ、新たな粒子に替えられ得るように開放可能及び再閉鎖可能である。
【０００７】
香り付き粒子：
容器内に置かれるべき粒子は、長期間にわたって徐々に香料を放出する香り付き粒子である。本明細書で用いるのに好適な粒子は、ポリマー類、又は粘土、又は軽石、シリカ又はシリケートのような多孔質岩又は石、から成って良い。
しかしながら、本明細書に用いるのに特に好ましいのは、ＰＣＴ国際特許第９９４７１８２号、英国特許第１，５８９，２０１号、米国特許第３５，５０５，４３２号、米国特許第４，２４７，４９８号、米国特許第４，１５６，０６７号、及びスカーフ（Ｓｃｈａｒｆｆｔ）、現代プラスティック辞典（Ｍｏｄｅｒｎ Ｐｌａｓｔｉｃｓ Ｅｎｃｙｃｌｏｐｅｄｉａ）、マグローヒル出版社（Ｍｃ Ｇｒａｗ−Ｈｉｌｌ Ｐｕｂｌｉｓｈｉｎｇ Ｃｏｍｐａｎｙ）、１９８２〜１９８３年、２７４〜２７５頁に開示されているようなポリマー粒子であり、これらは全て本明細書中に参考として組み込まれ、米国特許第４，５２１，５４１号、米国特許第４，５４２，１６２号、米国特許第５，５４３，３９８号は、全て本明細書に参考として組み込まれる。
【０００８】
端的に述べると、このような粒子の作成方法には、溶融可塑体と香料との混合、及びその混合物を適当な形状へ固結させることを包含する。
任意の香料が本明細書に用いるのに好適であり、本明細書で好適な香料は複数の参考文献に開示されており、例えばＰＣＴ国際特許第９９４７１８２号及び米国特許第５，５４０，８５３号であって、本明細書に参考文献として組み込まれる。
ポリマー内の香料物質は、好ましくは約３〜約８の範囲の計算上のｌｏｇＰを有し、ここでＰはｎ−オクタノールと水との間の活性又は生物活性物質の分配係数である。
【０００９】
香料成分は、２５０℃の沸点を有するのが好ましい。多数の香料成分のｌｏｇＰの値が報告されており；例えば、デイライトケミカルインフォメーションシステム社（Ｄａｙｌｉｇｈｔ ＣＩＳ）（カリフォルニア州アーヴィン）より市販されるＰｏｍｏｎａ９２データベースには、元の文献の引用とともに多数のデータが記載されている。しかし、ｌｏｇＰ値は、最も簡単にはデイライトＣＩＳから入手できる「ＣＬＯＧＰ」プログラムにより計算される。このプログラムは、Ｐｏｍｏｎａ９２データベース中で入手できるとき、実験的なｌｏｇＰの値も一覧にしている。「計算上のｌｏｇＰ１１」（ＣｌｏｇＰ）はハンス（Ｈａｎｓｃｈ）とレオ（Ｌｅｏ）の断片的アプローチによって決定する（ハンス（Ｃ．Ｈａｎｓｃｈ）、サメンス（Ｐ．Ｇ．Ｓａｍｍｅｎｓ）、テイラー（Ｊ．Ｂ．Ｔａｙｌｏｒ）及びラムスデン（Ｃ．Ａ．Ｒａｍｓｄｅｎ）編、レオ（Ａ．Ｌｅｏ）著、「包括的医薬品化学」（Ｃｏｍｐｒｅｈｅｎｓｉｖｅ Ｍｅｄｉｃｉｎａｌ Ｃｈｅｍｉｓｔｒｙ）第４号（１９９０年）の中の２９５頁（本願に引用し援用する）を参照のこと）。この分画法は、各香料成分の化学構造を基にして、原子の数と種類、原子の結合性、及び化学結合を考慮に入れている。このＣｌｏｇＰ値は、最も信頼性が高く、このような物理化学の特性を評価するために広く使用され、好ましくは本発明に有効な香料成分を選択する際に、実験に基づくｌｏｇＰの値の代わりに使用される。
【００１０】
好ましくは本発明において最少化される非持続性香料成分は、約２５０℃未満の沸点又は約３．０未満のＣｌｏｇＰ、又は約２５０℃未満の沸点と約３．０未満のＣｌｏｇＰの双方を有するものである。下記の表は、非持続性香料成分の非限定的な数例である。本発明に用いられる香料組成物は、約３０重量パーセント未満の非持続性香料、好ましくは約２５重量パーセント未満の非持続性香料、より好ましくは約２０パーセント未満の非持続性香料、及びさらにより好ましくは約１５パーセント未満の非持続性香料成分を含有する。
【００１１】
３を超える計算上のＣｌｏｇＰを有する香料物質の例は、次の表において記載される：
非持続性香料成分の例　香料成分の近似値１　沸点　（−Ｃ）　（ａ）ＣｌｏｇＰ　２５０℃を超える沸点及び３．０を超えるＣｌｏｇＰ　アリルシクロヘキサンプロピオネート　２６７　３．９３５　アンブレットリド　３００　６．２６１　アミルベンゾエート　２６２　３．４１７　アミルシンナメート　３１０　３．７７１　アミルシンナミックアルデヒド　２８５　４．３２４　アミルシンナミックアルデヒドジメチル　３００　４．０３３　アセタールイソ−アミルサリチラート　２７７　４．６０１　オウランチオール（Ａｕｒａｎｔｉｏｌ）４５０　４．２１６　ベンゾフェノン３０６　３．１２０　ベンジルサリチラート３００　４．３８３　パラ−第三−ブチルシクロヘキシルアセテート　＋２５０　４．０１９　イソ−ブチルキノリン　２５２　４．１９３　Ｏ−カリオフィレン　２Ｓ６　６．３３３　カジネン　２７５　７．３４６　セドロール２９１　４．５３０　セドリルアセテート　３０３　５．４３６　セドリルホルメート　＋２５０　５．０７０　シンナミルシンナメート　３７０　５．４８ｂ、シクロヘキシルサリチラート　３０４　５．２６５　シクラメンアルデヒド　２７０　３．６８０　ジヒドロイソジャスモネート　＋３００　３．００９　ジフェニルメタン　２６２　４．０５９　ジフェニルオキシド２５２　４．２４０　ドデカラクトン　２５８　４．３５９　ＩＳＯ　Ｅ　ＳＵＰＥＲ　＋２５０　３．４５Ｓ　エチレンブラシレート　３３２　４．５５４　エチルメチルフェニルグルシデート　２６０　３．１６５　エチルウンデシレネート　２６４　４．８８８　エキサルトリド　２８０　５．３４６　ガラクソリド　＋２５０　５．４８２　ゲラニルアントラニレート　１３１２　１４．２１６。
【００１２】
非持続性香料成分の例　香料成分の近似値沸点（ＯＣ）ＣｌｏｇＰ　２５０℃を超える沸点及び３．０を超えるＣｌｏｇＰ　＋２５０　５．２３３　ヘキサデカノライド　２９４　６．８０５　ヘキセニルサリチラート　２７１　４．７１６　ヘキシルシンナミックアルデヒド　３０５　５．４７３　ヘキシルサリチラート　２９０　５．２６０　ａ−イロン　２５０　３．８２０　リリアール（ｐ−ｔ−ブチナル）２５８　３．８５８　リナリルベンゾエート　２６３　５．２３３　２−メトキシナフタレン　２７４　３．２３５　メチルジヒドロジャスモン　＋３００　４．８４３　ｙ−ｎ−メチルイオノン　２５２　４．３０９　ムスクインダノン　＋２５０　５．４５８　ムスクケトン　ＭＰ＝１３７℃　３．１０４　ムスクチベチン　ＭＰ＝１３６℃　３．８３１　ミリスチシン　２７６　３．２００　オキサヘキサデカノリド−１０　＋３００　４．３３６。
【００１３】
オキサヘキサデカノリド−ｉｉ　ＭＰ＝３５０℃　４．３３６　パチュリアルコール　２８５　４．５３０　ファントリド　２８８　５．９９７　フェニルエチルベンゾエート　３００　４．０５８　フェニルエチルフェニルアセテート　３２５　３．７６７　フェニルヘプタノール　２６１　３．４７８　フェニルヘキサノール　２５８　３．２９９　ｃｃ−サンタロール　３０１　３．８００　チベトリド　２８０　６．２４６　８−ウンデカラクトン　２９０　３．８３０　表−持続性香料成分の連続的な例　香料成分の近似値　１　沸点（ＯＣ）（ａ）ＣｌｏｇＰ　２５０℃を超える沸点及び３．０を超えるＣｌｏｇＰ　ｙ−ウンデカラクトン　２９７　４．１４０　ベチベリールアセテート　２８５　４．８８２　ヤラ−ヤラ　２７４　３０２３５　Ｙランゲン　２５０　６．２６８　（ａ）Ｍ．Ｐは融点であり；これらの成分は２５０℃を超える沸点を有する。
【００１４】
本明細書で好ましい実施態様において、粒子がプラスチックからなる場合、存在する際には常に水は確実に粒子を透過せず、粒子内に存在する香料構成成分が放出されるまで保護される。さらには、プラスチックの使用は、装置が暖かい温度に暴露される際に粒子が劣化しないのを確実にする。したがって、装置は広範囲の温度において使用可能である。
本明細書の粒子は、ロッド、又は四角形又は方形ブロックとは対照的に、好ましくは実質的に球体である。実際に、球形の場合、粒子は装置内で向上した移動性を有するので、粒子の新鮮且つ清浄な表面は長期間にわたって暴露される。反対に、移動性が制限されている場合、粒子の同じ表面が長期間にわたって暴露され、固化し、詰まる可能性がある。さらには、粒子が好ましくはプラスチック、つまり疎水性から成る事を兼ね合わせた球形形状は、水滴が存在する場合には粒子表面から流出し、粒子の迅速な乾燥に寄与し、したがって、湿潤条件への暴露後、より効果的に香料を放出する。
【００１５】
粒子の香料負荷は、特定の装置への特定の要求によって、広範囲で変更が可能である。実際に、小型の装置においては、全粒子量は低量である傾向があり、したがって、各粒子の香料負荷は存在する粒子が少ないことを補う為に増加される傾向がある。逆に、大型の装置においては、より多くの粒子があり、粒子は低香料負荷を提供する傾向がある。本明細書の粒子は、典型的には２重量％〜２５重量％の香料を坦持し、粒子の全重量は２０グラム〜７５グラムで表される。
本明細書で用いるのに好適な香料粒子は、インターナショナルフレーバーアンドフレグランス社（Ｐｏｌｙｉｆｆ）から商標名Ｐｏｌｙｉｆｆのもとで市販されている。
【００１６】
与えられた容器内の粒子の個体群は、香料含有量において実質的に均一であって良いが、異なる個体群を有するのが魅力的である。実際に、特定の香料を含む特定の粒子は、バッチ処理において均一な個体群となるように製造され、次に無数の変化で異なる個体群が混合されて良く、香料の選択及び機能に経済的で魅力的な柔軟性を提供する。実際に、香料は消毒及び／又は抗菌利益を付加的に提供するのに使用され得る。
与えられた容器内の粒子の個体群は、寸法において実質的に均一で、それは異なる個体群と比較して好ましい。実際に、寸法における均一な個体群は、球体粒子においては粒子間の接触が最小であり、表面損傷及び／又は摩擦が削減されるのを確実とする。また、香料の放出率が削減され、及び粒子の自由回転を妨害し、結局は香料の延長された及び段階的な放出を妨害する粒子圧縮の危険性は実質的に削減される。容器はまた、数個の仕切りに分割されて良く、各々は特定の粒子個体群を含む。与えられた容器内の粒子の個体群は、好ましくはその他の仕切りの個体群とは異なる。
【００１７】
好ましくは、容器内の粒子は容器又は各仕切りの内容量の５％〜９５％間、最も好ましくは２０％〜８０％間を占めるべきである。実際に、この範囲内で、装置の香料負荷を増加させるためにできるだけ大きいことが望まれる粒子の量と、香料放出の持続性と連続性を改善するためには、あまりにも多くの粒子が存在すると、ある点で妨げとなる容器内の粒子の移動可能性との妥協点を得ることができる。
【００１８】
方法：
本発明による方法において、本明細書で上述された装置は、浴室、シャワー室、自動洗濯機又は皿洗い機、ジャグジー又はホットタブのような時には湿潤し、特には乾燥している周囲環境に載置され、そこでの周囲環境を消臭及び／又は芳香付与する。実際に、本明細書に使用される装置の特定の利点は、前述のように該装置は湿潤及び乾燥条件の双方及び、広範囲な温度にわたって有効であることである。
【００１９】
製品の使用指針：
本発明のその他の実施態様において、本明細書で上述の装置は、装置特有の利点の使用を最も可能とするために、上で記載された方法において使用するための使用指針と共に提供される。その実施態様において、製品は、容器の外に香料を放出する香り付き粒子を含む消臭及び／又は芳香付与装置、並びに浴室、シャワー室、自動洗濯機又は皿洗い機、ジャグジー又はホットタブのような、時には湿潤し、時には乾燥している周囲環境内に前記装置を載置するための使用指針を含むように提供される。
本発明のその他の実施態様において、香り付き粒子は上述に記載のように前記装置を補充するように、装置の容器とは別個に提供される。その実施態様において、製品は、香料を放出する香り付き粒子、並びに前記粒子が前記容器の外に香料を放出できる容器内に前記粒子を載置し、及び浴室、シャワー室、自動洗濯機又は皿洗い機、ジャグジー又はホットタブのような、時には湿潤し、時には乾燥している周囲環境内に前記容器を載置するための使用指針を含んで提供される。使用指針は、新たな粒子が提供される前に、装置で使用した粒子は空にされるべきであると明記して良い。
【００２０】
【図面の簡単な説明】
【図１】本発明による閉鎖容器の外側の斜視図である。
【図２】図１の容器の開放された形態における外側の斜視図である。
容器（１）はポリエチレンから成り、９ｃｍの長さ、５ｃｍの幅、及び２．５ｃｍの高さを有する。直径０．１５ｃｍの孔（３）が容器内に開けられる。この容器は開放可能であり、閉鎖（４）に影響するものを含む。容器の内部は、同一の分割となる２つの仕切り（５，５’）に分割される。各仕切りは、香り付き粒子（２）の個体群（５に示されない）を含む。
【国際公開パンフレット】
2004509668.tif 000003
2004509668.tif 000004
2004509668.tif 000005
2004509668.tif 000006
2004509668.tif 000007
2004509668.tif 000008
2004509668.tif 000009
2004509668.tif 000010
2004509668.tif 000011
2004509668.tif 000012
2004509668.tif 000013
2004509668.tif 000014
2004509668.tif 000015
2004509668.tif 000016
【国際調査報告】
2004509668.tif 000017
2004509668.tif 000018
2004509668.tif 000019